【手続補正書】
【提出日】平成20年3月13日(2008.3.13)
【手続補正１】
【補正対象書類名】明細書
【補正対象項目名】特許請求の範囲
【補正方法】変更
【補正の内容】
【特許請求の範囲】
【請求項１】  巻タバコを軟質小包体に包装する方法であって、該軟質小包体が単一包材（２）を備え、該単一包材（２）が、ラベル（１１）を構成する第１区画（１０）であって概ね直方体形状の対応する巻タバコ（４）の群（３）を部分的に包んで小包体（１）の前部（１２）、背部（１３）、二つの側部（１４）、及び底部（１５）を形成する第１区画（１０）と、巻タバコ（４）の群（３）の残りを包んで小包体（１）の頂面（１７）を形成する第２区画（１６）とを有している、方法において、
包装材料の第１及び第２ウェブ（２５，３６）を包装機械の第１部分（３１）に沿って供給する供給工程と、
シールされた単一ウェブ（３７）が形成されるように、対応する接合部分（２２，２３）に沿いつつ第２ウェブ（３６）を第１ウェブ（２５）に重ね合わせてシールする重ね合わせ・シール工程と、
該シールされたウェブ（３７）を横方向に切断して複数の分離されたブランク（１８）を形成する切断工程であって、各分離されたブランク（１８）が小包体（１）の単一包材（２）を構成している切断工程と、
各単一のブランク（１８）を巻タバコ（４）の対応する群（３）の周囲に折り曲げかつ巻き付けて単一包材（２）を備えた軟質小包体（２）を形成する折り曲げ・巻き付け工程と、
を含んでなる方法。
【請求項２】  対応する第１長手方向縁（３９）を有する包装材料の第１ウェブ（２５）と、対応する第２長手方向縁（４０）を有する第２ウェブ（３６）とが、少なくとも一つの規定された第１供給経路（Ｐ１）に沿って供給され、少なくとも第１又は第２ウェブ（２５，３６）の対応する接合部分（２２，２３）に糊付けが行われ、接合部分（２２，２３）において第１ウェブ（２５）の第１長手方向縁（３９）が第２ウェブ（３６）の第２長手方向縁（４０）に重ね合わされてシールされ、それによりシールされた単一ウェブ（３７）が形成される、請求項１に記載の方法。
【請求項３】  前記重ね合わせ・シール工程が更に、第１供給経路（Ｐ１）に沿って第１又は第２ウェブ（２５，３６）を供給する工程と、他方の第１又は第２ウェブ（２５，３６）を第１供給経路（Ｐ１）とは別の第２供給経路（Ｐ２）に沿って供給する工程と、対応する接合部分（２２，２３）において少なくとも第１又は第２ウェブ（２５，３６）に糊付けを行う工程と、作業ユニット（３０）に設けられた方向転換手段（４４）を用いて第１又は第２ウェブ（２５，３６）を方向転換させると共に、二つのウェブ（２５，３６）が対応する接合部分（２２，２３）において互いに接触するように、方向転換されたウェブ（２５，３６）を他方の第１又は第２ウェブ（２５，３６）に並列させる部署（５０）上に、該方向転換されたウェブ（２５，３６）を収束させる工程と、包装材料の第１ウェブ（２５）及び第２ウェブ（３６）を互いに並列させて互いにシールすることができるように、前記作業ユニット（３０）に設けられた整列手段（４７）を用いて第２供給経路（Ｐ２）を第１供給経路（Ｐ１）に整列させる工程と、を含んでなる請求項１又は２に記載の方法。
【請求項４】  前記単一包材（２）が、印刷された第１区画（１０）と金属箔のように見える第２区画（１６）とを有しており、第１ウェブ（２５）及び第２ウェブ（３６）が同一型式の包装材料（１９）から形成されており、第１ウェブ（２５）が少なくとも一つの外側表面（２６）上に規定された着色済み図形模様（Ｄ）が印刷されている対応する長手方向領域（２７）を有しており、第２ウェブ（３６）が少なくとも一つの外側表面（３８）上に金属箔に見えるように均一に印刷されている対応する長手方向領域（３８）を有している、請求項１から３までのいずれか一項に記載の方法。
【請求項５】  前記単一包材（２）が、印刷された第１区画（１０）と金属箔のように見える第２区画（１６）とを有しており、第１ウェブ（２５）及び第２ウェブ（３６）が互いに異なる型式の包装材料（１９）から形成されており、第１ウェブ（２５）が、少なくとも一つの外側表面（２６）上に規定された着色済み図形模様（Ｄ）が印刷されている対応する長手方向領域（２７）を有した第１包装材料（４１）から形成されており、第２ウェブ（３６）が金属被覆済み包材（４２）から形成されている、請求項１から３までのいずれか一項に記載の方法。
【請求項６】  前記切断工程の後で、各単一ブランク（１８）は接合部分（２２，２３）に沿いつつ重ね合わされてシールされた同一型式の包装材料（１９）からなる第１及び第２片（２０，２１）を備えており、該第１片（２０）は規定された着色済み図形模様（Ｄ）がその上に印刷されており、該第２片（２１）は金属箔に見えるように均一に印刷されている、請求項４に記載の方法。
【請求項７】  前記切断工程の後で、各単一ブランク（１８）は接合部分（２２，２３）に沿いつつ重ね合わされてシールされた第１及び第２片（２０，２１）を備えており、該第１片（２０）は規定された着色済み図形模様（Ｄ）がその上に印刷されている第１包装材料（４１）から形成されており、該第２片（２２）は金属被覆済み包装材料（４２）から形成されている、請求項５に記載の方法。
【請求項８】  前記折り曲げ・巻き付け工程が更に、前記第１片（２０）及び第２片（２１）を互いに接合させる前記接合部分（２２，２３）を、小包体（１）の頂面（１７）に隣接する小包体（１）の規定された周辺部分（２４）に位置決めする工程を含んでなる請求項６又は７に記載の方法。
【請求項９】  前記折り曲げ・巻き付け工程が、包装部署（５３）に単一ブランク（１８）を周期的に供給する工程を含んでなり、該包装部署（５３）は、包装機械の第２部分（５４）の一部を形成していると共に、巻タバコ（４）の各群（３）の周囲に各ブランク（１８）を折り曲げ巻き付けて単一包材（２）を備えた軟質小包体（１）が形成されるように構成されている請求項１に記載の方法。
【請求項１０】  前記供給工程が、対応する第１ロール（２９）から前記第１ウェブ（２５）を巻き戻すと共に、対応する第２ロール（５７）から前記第２ウェブ（３６）を巻き戻す工程を更に含んでなる請求項１から７までのいずれか一項に記載の方法。
【請求項１１】  単一包材（２）を備えた軟質小包体であって、該単一包材（２）が、ラベル（１１）を構成する第１区画（１０）であって概ね直方体形状をなす対応する一群（３）の巻タバコ（４）を部分的に包んで小包体（１）の前部（１２）、背部（１３）、二つの側部（１４）、及び底部（１５）を形成する第１区画（１０）と、巻タバコ（４）の群（３）の残りの部分を包んで小包体（１）の頂面（１７）を形成する第２区画（１６）とを有しており、ラベル（１１）を構成する第１区画（１０）が、小包体（１）の頂面（１７）に隣接する小包体（１）の規定された周辺部分（２４）に沿いつつ第２区画（１６）によって境界設定される、軟質小包体において、前記単一包材（２）が、包装材料の対応する第１及び第２ウェブ（２５，３６）から得られる包装材料の第１及び第２片（２０，２１）を備えた単一ブランク（１８）からなり、第１片（２０）は対応する接合兼シール部分（２２，２３）に沿いつつ第２片（２１）に並列されてシールされ、これら接合兼シール部分は、小包体（１）が完成されると、頂面（１７）に隣接する規定された周辺部分（２４）に沿って位置決めされている、小包体。
【請求項１２】  包装材料の第１片（２０）がラベル（１１）を構成し、包装材料の第２片（２１）が頂面（１７）を構成し、対応する第１長手方向縁（３９）を有する第１ウェブ（２５）と対応する第２長手方向縁（４０）を有する第２ウェブ（３６）とを、包装機械の第１部分（３１）内に規定された供給経路（Ｐ１）に沿いつつ供給することにより、第１及び第２片（２０，２１）が形成される請求項１１に記載の小包体。
【請求項１３】  対応する包装工程であって、少なくとも第１ウェブ（２５）の第１長手方向縁（３９）又は第２ウェブ（３６）の第２長手方向縁（４０）が対応する接合部分（２２，２３）において糊付けされると共に、第１ウェブ（２５）の第１長手方向縁（３９）が対応する規定された接合部分（２２，２３）において第２ウェブ（３６）の第２長手方向縁（４０）に重ね合わされかつシールされてシールされた単一ウェブ（３７）が形成される包装工程に引き続いて、包装材料の第１片（２０）が頂面（１７）に隣接する周辺部分（２４）に沿って包装材料の第２片（２１）に重ね合わされかつシールされる請求項１１に記載の小包体。
【請求項１４】  各単一包材（２）が、シールされた単一ウェブ（３７）を横方向に切断して分離されたブランク（１８）を形成することによって形成され、各分離されたブランク（１８）が小包体（１）の単一包材（２）を形成している請求項１３に記載の小包体。
【請求項１５】  単一包材（２）が、印刷された第１区画（１０）と金属箔のように見える第２区画（１６）とを有しており、第１及び第２片（２０，２１）が同一型式の包装材料（１９）から形成され、第１片（２０）は、規定された着色済み図形模様（Ｄ）がその上に印刷されてラベル（１１）を形成するようにされると共に、その少なくとも一つの表面（２６）上に着色済み図形模様（Ｄ）が印刷された対応する第１長手方向領域を有する第１ウェブ（２５）から得られ、第２片は、金属箔のように見えるように均一に印刷されて頂面を形成するようにされると共に、その少なくとも一つの外側表面（３８）上に、均一に印刷されて金属箔のように見える対応する第２長手方向領域（２６）を有している請求項１１から１４までのいずれか一項に記載の小包体。
【請求項１６】  単一包材（２）が、印刷された第１区画（１０）と金属箔のように見える第２区画（１６）とを有しており、第１及び第２片（２０，２１）が異なる型式の包装材料から形成され、第１片（２０）は、規定された着色済み図形模様（Ｄ）がその上に印刷されてラベル（１１）を形成するようにされると共に、その少なくとも一つの表面（２６）上に着色済み図形模様（Ｄ）が印刷された対応する長手方向領域を有する第１ウェブ（２５）から得られ、第２片（２１）は金属被覆済み包装材料（４２）から形成されて頂面を形成するようにされる請求項１１から１４までのいずれか一項に記載の小包体。
【請求項１７】  単一包材（２）が、印刷された第１区画（１０）と金属箔のように見える第２区画（１６）とを有しており、第１及び第２片（２０，２１）が同一型式の包装材料（１９）から形成され、第１片（２０）は、規定された着色済み図形模様（Ｄ）がその上に印刷されてラベル（１１）を形成するようにされると共に、その少なくとも一つの表面（２６）上に着色済み図形模様（Ｄ）が印刷された対応する第１長手方向領域を有する第１ウェブ（２５）から得られ、第２片は、金属箔のように見えるように均一に印刷されて頂面を形成するようにされると共に、その少なくとも一つの外側表面（３８）上に、均一に印刷されて金属箔のように見える対応する第２長手方向領域（２６）を有しており、第１ウェブ（２５）の規定された着色済み図形模様（Ｄ）がその上に印刷されている第１長手方向領域（２７）の第１長手方向縁（３９）と、第１ウェブ（２５）と同一型式の包装材料（１９）の、金属箔に見えるように印刷されている第２長手方向領域（２８）の第２長手方向縁（４０）とが、重ね合わされてシールされた後に、ラベル（１１）を構成する第１長手方向領域（２７）の第１長手方向縁（３９）を視認できると共に小包体に二枚の包材からなる従来型の軟質小包体の外観が与えられるように、頂面（１７）に隣接する規定された周辺部分（２４）に沿って位置決めされている、請求項１３に記載の小包体。
【請求項１８】  単一包材（２）が、印刷された第１区画（１０）と金属箔のように見える第２区画（１６）とを有しており、第１及び第２片（２０，２１）が同一型式の包装材料（１９）から形成され、第１片（２０）は、規定された着色済み図形模様（Ｄ）がその上に印刷されてラベル（１１）を形成するようにされると共に、その少なくとも一つの表面（２６）上に着色済み図形模様（Ｄ）が印刷された対応する第１長手方向領域を有する第１ウェブ（２５）から得られ、第２片は、金属箔のように見えるように均一に印刷されて頂面を形成するようにされると共に、その少なくとも一つの外側表面（３８）上に、均一に印刷されて金属箔のように見える対応する第２長手方向領域（２６）を有しており、第１ウェブ（２５）の規定された着色済み図形模様（Ｄ）がその上に印刷されている第１長手方向領域（２７）の第１長手方向縁（３９）と、第１ウェブ（２５）の包装材料とは異なる金属被覆済み包装材料（４２）から形成された第２ウェブ（３６）の第２長手方向縁（４０）とが、重ね合わされてシールされた後に、ラベル（１１）を構成する第１長手方向領域（２７）の第１長手方向縁（３９）を視認できると共に小包体に二枚の包材からなる従来型の軟質小包体の外観が与えられるように、頂面（１７）に隣接する規定された周辺部分（２４）に沿って位置決めされている、請求項１３に記載の小包体。
【請求項１９】  頂面（１７）に隣接する前記周辺部分（２４）の全周にわたり互いに重ね合わされてシールされた第１長手方向縁（３９）と第２長手方向縁（４０）とが、小包体（１）自体を強化する包装材料の補強部分を構成している請求項１７又は１８に記載の小包体。